(57)【要約】【課題】取付け時の損傷の危険性が少なくとも軽減された、媒体ガイド管の接合構想を提供する必要性がある。【解決手段】実施例は、媒体ガイド管のための接合構造体（１００）に関する。当該接合構造体は、少なくとも１つの孔（１０３）を有し第１材料から成るハウジング（１−ａ）と、少なくとも部分的にスリーブ状に形成されている接続部品（１０２）と、を備える。接続部品（１０２）は、第１材料とは異なる第２材料から作られている。接続部品（１０２）は回転可能にハウジング（１−ａ）の孔（１０３）に挿入され、これにより、ハウジング（１−ａ）と接続部品（１０２）とは媒体の漏れがなく接合されている。【選択図】図１
2016048115.tif 000002
【特許請求の範囲】
【請求項１】
媒体ガイド管のための接合構造体（１００）であって、
少なくとも１つの孔（１０１）を有し第１材料から成るハウジング（１−ａ）と、
少なくとも部分的にスリーブ状に形成されている接続部品（１０２）と、
を有し、
該接続部品（１０２）は、前記第１材料とは異なる第２材料から作られており、
前記接続部品（１０２）は回転可能に前記ハウジング（１−ａ）の前記孔（１０１）に挿入され、これにより、前記ハウジング（１−ａ）と前記接続部品（１０２）とは媒体の漏れがなく接合されている、接合構造体（１００）。
【請求項２】
前記第１材料が合成樹脂である、請求項１に記載の接合構造体。
【請求項３】
前記接続部品（１０２）は、ネジ（１２４）、クリップ接合部および／あるいはプラグ接合部である固定構造を備える、請求項１あるいは２に記載の接合構造体。
【請求項４】
前記接続部品（１０２）は、保持面（１０８）を備える、請求項３に記載の接合構造体。
【請求項５】
前記接続部品（１０２）を軸方向に前記ハウジング（１−ａ）に固定するために、該ハウジング（１−ａ）および／あるいは前記接続部品（１０２）は、少なくとも１つの軸方向ストッパ（１１５）を備える、請求項１から４のいずれか１項に記載の接合構造体。
【請求項６】
前記接続部品（１０２）を通って前記ハウジング（１−ａ）にもたらされる媒体の流体漏れなく、前記接続部品（１０２）を密封するために、さらに、前記接続部品（１０２）と前記ハウジング（１−ａ）との間に半径方向に設けられている密封要素（１１２、１１６）を備える、請求項１から５のいずれか１項に記載の接合構造体。
【請求項７】
前記ハウジング（１−ａ）は、前記接続部品（１０２）を少なくとも部分的に軸方向に重ねるために形成されている袋状部（１１８）を備える、請求項１から６のいずれか１項に記載の接合構造体。
【請求項８】
前記ハウジング（１−ａ）の前記孔（１０３）に、前記ハウジング（１−ａ）と一体的に形成されている第２の導管（１０−ａ）が接続されている、請求項１から７のいずれか１項に記載の接合構造体。
【請求項９】
前記ハウジング（１−ａ）は、潤滑媒体を調量して分配するための装置のために形成されている、請求項１から８のいずれか１項に記載の接合構造体。
【請求項１０】
媒体ガイド管の接合法（１７０）であって、
少なくとも部分的にスリーブ状に形成されている接続部品（１０２）を、第１材料から成るハウジング（１−ａ）の孔（１０３）に、回転可能かつ流体漏れなく配置する（１７０）工程であって、前記接続部品（１０２）は、前記第１材料とは異なる第２材料から作られている、工程を有する方法（１７０）。
【発明の詳細な説明】
【技術分野】
【０００１】
実施例は、媒体ガイド管のための接合構造体と、媒体ガイド管の接合法と、に関する。
【背景技術】
【０００２】
多くの利用の際に、媒体ガイド管は、互いにあるいはハウジングと接合されることになる。ハウジングとは、たとえばポンプ、弁、ディストリビュータなどのハウジングのことであってよい。これらのハウジングや、導管が接合され得るその他の部材は、しばしば合成樹脂から作られている。合成樹脂でのネジ接合は、機械的な物質固有値が小さいので、不都合な状況では過負荷の危険にさらされている。
【０００３】
通常はそれゆえ、ほとんどが、合成樹脂とは異なる材料を備える少なくとも２つの部材、つまりインサートとプラグコネクタとのそのような接合が実施される。インサートはたとえばハウジング内に圧入されていてよく、しばしば熱に助けられていてもよい。プラグコネクタは、媒体ガイド管と接合されていてよい。それからインサートとプラグコネクタは、ネジで螺合して互いに接合され得る。螺合可能な接合によって、不都合な状況では、規定された限界トルクを超えると、インサートがハウジングから壊れて出てくるかあるいは回転して出てくるという危険が生じかねない。これは、不都合な状況では、ハウジングの破壊に至りかねない。
【０００４】
たとえば金属製のインサートあるいはネジソケットの通常の挿入あるいは注入によって、たいてい状況は充分には改善されない。なぜなら、合成樹脂／ソケット接合の接点が、合成樹脂内のネジと類似した負荷のケースを示し得るからである。それゆえ、起こり得る故障個所が、しばしば移動するだけである。構造物全体を回転させすぎて損傷させることが、さらに考えられ得る。たとえば、注入されるかあるいは後から挿入されるインサート（英語：Inserts）のようなネジ接合は同様に、すでに記述された過負荷と破損のリスクを備え得る。さらに、そのような部材は、状況によっては取り外しが難いかあるいは交換し難い。
【発明の概要】
【発明が解決しようとする課題】
【０００５】
それゆえ、取付け時の損傷の危険性が少なくとも軽減された、媒体ガイド管の接合構想を提供する必要性がある。独立請求項に記載の、媒体ガイド管のための接合構造体と、媒体ガイド管の接合法と、は、この必要性を顧慮している。
【課題を解決するための手段】
【０００６】
実施例は、少なくとも１つの孔を有するハウジングを有する、媒体ガイド管のための接合構造体に関する。接合部は、少なくとも部分的にスリーブ状に形成されている接続部品も含む。接続部品は回転可能にハウジングの孔に挿入され、これにより、ハウジングと接続部品とは媒体の漏れがなく接合されている。ハウジングと接続部品は、異なる材料から作られている。
【０００７】
実施例は、媒体ガイド管の接合法にも関する。このために接続部品は、回転可能かつ媒体の漏れがなく、ハウジングの孔の中に設けられる。接続部品は、ハウジングとは別の材料から作られている。
【０００８】
接続部品が回転可能に孔の中に設けられていることによって、いくつもの実施例では、接続部品に作用するかあるいは及ぼされるトルクが、ハウジングに伝達されるという危険性を、回避あるいは少なくとも軽減できる。
【０００９】
加えて、本方法は、たとえば供給管および／あるいは排水管と接合されていてよい接合ピースを、すでに回転可能にハウジングに挿入された接続部品内に接合することも含む。
【００１０】
いくつもの実施例では、ハウジングの材料は合成樹脂であり、もしくはハウジングは合成樹脂から作られている。合成樹脂製の部材は、状況によっては、接合の構築時に特に簡単に損傷され得る。なぜなら、これらの部材は、比較的小さいトルクあるいは力にしか耐えられないからである。記述された接合構造体によって、いくつもの実施例では、漏れがなく堅固で、できる限り損傷なく取付け可能な、合成樹脂製ハウジングを有する、導管の接合構造体を可能にできる。
【００１１】
加えてあるいは代替的に、接続部品はいくつもの実施例では、ネジ、クリップ接合部および／あるいはプラグ接合部である固定構造を備える。それでいくつもの実施例では、接続部品と、ハウジングと接合されるべき導管と、の間の漏れがない接合を可能にできる。
【００１２】
接続部品は、保持面を備えてもよい。それでいくつもの実施例では、たとえば導管が接続部品に固定される場合に、接続部品がハウジングの孔の中でさらに回転するということを、防ぐことができる。
【００１３】
加えてあるいは代替的に、接続部品を軸方向にハウジングに固定するために、いくつもの実施例では、ハウジングおよび／あるいは接続部品は、少なくとも１つの軸方向ストッパを備える。それでいくつもの実施例では、接続部品およびそれと固定された導管が滑り出ること、あるいは接続部品がハウジング内に沈み込むことあるいは滑り込むことを回避できる。
【００１４】
接合構造体は、接続部品とハウジングとの間に半径方向に設けられている少なくとも１つの密封要素を含んでもよい。それでいくつもの実施例では、接続部品が、当該接続部品を通ってハウジングにもたらされる媒体の漏れなく、ハウジングに対して密封されていることを可能にできる。
【００１５】
加えてあるいは代替的に、いくつもの実施例では、ハウジングは、接続部品を少なくとも部分的に軸方向に重ねるために形成されている袋状部を備える。状況によっては、ハウジングに対して接続部品が傾くのを防ぐことを可能にできる。
【００１６】
いくつもの実施例では、ハウジングの孔に、ハウジングと一体的に形成されている第２の導管が接続されている。状況によっては、いくつもの実施例では容易なやり方で、ハウジングと導管との間に、媒体の漏れがない接合がなされることを可能にできる。
【００１７】
加えてあるいは代替的に、いくつもの実施例では、ハウジングは、潤滑媒体を調量して分配するための装置のために形成されている。状況によっては、いくつもの実施例では、そのような装置で導管を接続するのを容易にでき、導管の接続時にハウジングが損傷する危険性を少なくとも軽減できる。
【００１８】
さらなる有利な形態は、以下において、図で表わされる実施例に基づいてより詳細に記述されるが、そのような実施例に限定されるものではない。
【００１９】
図は概略的に、以下を示している。
【図面の簡単な説明】
【００２０】
【図１】一実施例に従った、接合構造体の縦断面図の概略描写である。
【図２】図１の接合構造体の側面図の概略描写である。
【図３】図１の接合構造体の横断面図の概略描写である。
【図４】図１の接合構造体の正面図の概略描写である。
【図５】さらなる一実施例に従った、接合構造体の縦断面図の概略描写である。
【図６】図５の接合構造体の側面図の概略描写である。
【図７】図５の接合構造体の横断面図の概略描写である。
【図８】図５の接合構造体の正面図の概略描写である。
【図９】媒体ガイド管の接合法の概略描写である。
【図１０】一実施例に従った、接合構造体を部分的に取付けた状態のハウジングの斜視図の概略描写である。
【発明を実施するための形態】
【００２１】
添付の図の以下の記述では、同じ参照符号は、同じかあるいは比較可能なコンポーネントを指している。その上、何度も１つの実施例あるいは図に現れるが、１つあるいは複数の特徴に関して一緒に記述されるコンポーネントや対象物には、まとまった参照符号が用いられる。記述から、別のものが明確にあるいは不明確にもたらされない限りは、同じあるいはまとまった参照符号で記述されるコンポーネントあるいは対象物は、個々のあるいは複数の又はすべての特徴に関して、たとえばその寸法付けに関して同じに実施されていてよいが、場合によっては異なって実施されていてもよい。
【００２２】
図１から図４は、一実施例に従った、接合構造体１００の異なる図の概略描写を示している。媒体ガイド管のための接合構造体１００は、少なくとも１つの孔１０１を有するハウジング１−ａを備える。孔１０１の中に、接続部品１０２が、中心軸Ｍの周りを回転可能に、かつ導管内でガイドされる媒体の漏れがなく設けられている。インサートとも呼ばれ得る接続部品１０２は、ハウジング１−ａとは別の材料から作られている。接続部品１０２は、少なくとも１つのスリーブ状の部分を備える。
【００２３】
その場合、ハウジング１−ａあるいは接続部品１０２を損傷させることなく、たとえば、接続部品１０２が孔１０１内で、中心軸Ｍの周りを少なくとも４分の１回転あるいは半回転あるいは１回転又は数回転の回転ができるように、接続部品１０２は孔１０１内に回転可能に設けられ得る。そのために接続部品１０２にかかるトルクは、ハウジング１−ａに伝達されない。状況によっては、限界トルクを調節でき、当該限界トルクを超えるまで、接続部品１０２は孔１０１の中に摩擦接続的に保持される。この限界トルクを超えてから初めて、接続部品１０２は孔１０１の中で回転する。その上、ハウジング１−ａと、接続部品１０２を介してハウジング１−ａに接続されている導管と、の間の接合は、たとえ接続部品１０２が孔１０１の中で回転しても、漏れがない。それによっていくつもの実施例では、導管からあるいはパイプからあるいは、接続部品１０２を介してハウジング１−ａと接合されるパイプ螺合部から発生するねじりモーメントも、ハウジング１−ａに伝達されない。
【００２４】
接合構造体１００によって別の導管又はハウジング１−ａあるいは別のハウジングに接続される、図示されていない媒体ガイド管はたとえば、媒体をガイドするために形成されているパイプ状の部材、たとえばチューブあるいはパイプであってよい。導管は、取付け時に、あるいは接合構造体を有する装置が運転中でない場合、媒体がなくてもよい。導管は、金属あるいは合成樹脂などの考えられ得るあらゆる材料を含んでもよい。状況によっては、導管は、硬くてよくあるいはフレキシブルであってもよい。
【００２５】
媒体は、状況によっては、液体あるいはガス、たとえば圧縮空気、洗剤、染料、油圧媒体、潤滑媒体および／あるいはそのようなものであってよい。潤滑媒体の粘性は、場合によっては異なっていてよく、たとえば潤滑液、潤滑油および／あるいは潤滑グリースであってよい。
【００２６】
接続部品１０２は貫通孔１０３を備え、当該貫通孔１０３を通って媒体が、接続部品１０２を通過できる。貫通孔１０３はスリーブ状部分１０４に取り囲まれており、当該スリーブ状部分１０４に同心状に設けられている。貫通孔１０３は、３つの異なる直径を有する段状孔として形成されている。真ん中の直径の領域は、軸方向において、最大直径の領域と最小直径の領域との間に設けられている。それによって、接続部品１０２の半径方向内側に、第１ヒール部１０５と第２ヒール部１０６とができる。接続部品１０２は、最大直径の領域がハウジング１−ａから突出するように、ハウジング１−ａに設けられている。
【００２７】
接続部品１０２は、半径方向外側に向いた側面１０７に、少なくとも部分的に、孔１０１の内径と遊びばめをなす直径を備えるので、接続部品１０２は、孔１０１内で回転できる。その上、接続部品１０２は、半径方向外側に向いたその側面１０７に、保持面１０８を備える。接続部品１０２は、保持面１０８が、場合によっては工具で保持されてよい。図２と図４とにおいて分かるように、保持面１０８は、２つの平面部分を備える。そのために、言及された円筒状の側面１０７から、それぞれ１つの円形セグメントが取り除かれた。保持面１０８は、取付けられた状態でハウジング１−ａから突出する、接続部品１０２の軸方向端部に設けられている。保持面１０８は、接続部品１０２の端面１０９が接続する接続部品の前縁部で終わる。
【００２８】
表わされていないいくつかのさらなる実施例では、保持面がなくても、あるいは別の形状をしていてもよい。状況によっては、工具で接続部品を掴持するために、保持面が形成されていてよい。工具とは、たとえばレンチのことであってよい。対応して、保持面は、多角形たとえば六角形であってよい。加えてあるいは代替的に、保持面は窪み、たとえば、工具と係合できる孔であってよい。同様に保持面は、ペンチで掴持されるために形成されている表面を備えてよい。状況によっては、表面は、隆起および／あるいは窪みを有する構造を備えてよい。接続部品に反モーメントをかけるために、保持面が設けられていてよい。その際反モーメントは、接続部品を導管あるいは接合ピースと接合するために導管に及ぼされるトルクと逆向きであってよい。
【００２９】
軸方向において保持面１０８に隣接して、ヒール部１１０が設けられている。保持面１０８の領域より大きい直径の部分が、ヒール部１１０に接続している。表わされていないいくつかのさらなる実施例では、ヒール部と、それからもたらされる外径の変化と、が、なくてもよい。保持面１０８に背向しているヒール部１１０の片側で、接続部品１０２は、半径方向外側に向いたその側面１０７に、溝１１１を備える。溝１１１は周方向に周回して設けられており、パッキン１１２を受容するために使われる。パッキン１１２は、取付けられた状態で、ハウジング１−ａの壁１１３と軸方向に重なる。その際ハウジング１−ａの壁１１３は、ハウジング１−ａの壁厚が平均的な領域である。壁１１３はたとえば、ハウジング１−ａの内室を周囲から遮る保護ケースであってよい。パッキン１１２はたとえば弾性材料を含むか、あるいは弾性材料から作られていてよい。たとえばパッキン１１２は、溝１１１にはめ込まれたリングあるいはストリップであってよい。パッキン１１２は半径方向に、溝１１１よりも大きく広がっているので、溝１１１から飛び出しており、外部からハウジング１−ａに侵入する汚物や湿気に対して密封するようになっている。ハウジング１−ａ内には、多くの使用時に、保護されるべき電気的および／あるいは機械的コンポーネントがある。
【００３０】
さらに接続部品１０２は、同様に周方向に周回して側面１０７に設けられているガスケット受容溝１１６も備える。ガスケット受容溝１１６は、保持面１０８に背向している接続部品１０２の軸方向端部の近傍にある。ガスケット受容溝１１６は、接続部品１０２が先細りとなって外径が小さくなっていく部分の軸方向内側に設けられている。接続部品１０２が先細りとなることによって、状況によっては、ハウジング１−ａへの導入が簡単になり得る。ガスケット受容溝１１６内には、ガスケット１１７が設けられている。ガスケット１１７は、Ｏリングとして形成されている。それによって接続部品１０２は、ハウジング１−ａに対して、送られるべきかつ通常は圧力をかけられている媒体に対する密封機能も引き受ける。
【００３１】
表わされていないいくつかのさらなる実施例では、接続部品は別の形状であってよい。スリーブ状部分はたとえば、媒体を外壁を通ってガイドして通過させるために形成されているいかなる部材であってもよい。たとえばそのための部材は、孔を備える。この孔および／あるいはスリーブ状部分の側面は、考えられ得るあらゆる形状、たとえば円形、長方形、多角形などであってもよい。孔は、側面に同心状に設けられていてよい。スリーブ状部分は円筒形に設けられているか、あるいはその形状および／あるいはその大きさが軸方向で変化してもよい。
【００３２】
図の実施例では、媒体が取り込まれる導管１０−ａが、袋状部１１８を介して、ハウジング１−ａの壁１１３に接続している。ハウジング１−ａの壁１１３と袋状部１１８と導管１０−ａとは、一体的に作られている。それによって接続部品１０２は、部分的に軸方向に重なって、導管１０−ａの半径方向内側に設けられている。ガスケット１１７はそれゆえ、接続部品１０２と導管１０−ａとの間に半径方向に、かつ袋状部１１８と軸方向に重なって設けられている。その際導管１０−ａは、袋状部１１８の領域内に、その平均的な導管開口部断面よりも大きい直径を備える。袋状部１１８とは、本質的に、強化部と材料の集積部のことである。それでハウジング１−ａは、対応する力を受けるために形成されて、寸法づけられ得る。
【００３３】
袋状部１１８はさらに、軸方向の間隙１１９を備える。この間隙１１９は、壁１１３の内側と袋状部１１８のショルダ部１２０との間に設けられている。しかも接続部品１０２は、その側面１０７に、周方向に周回する止め輪溝１１４を備える。これは、止め輪１１５を受容するために使われる。止め輪１１５を介して、接続部品１０２は、軸方向Ｍでハウジング１−ａに固定され得る。そのために止め輪１１５は、ハウジング１−ａの壁１１３の内側に当接する。止め輪１１５は、大部分が圧力のかかる媒体によって通常は生み出される、軸方向に作用する力を受けるためにもしくはハウジング１−ａに伝達するために使われる。止め輪１１５は、半月リングの形状をしており、接続部品１０２が孔から抜き出ることを防止する。間隙１１９の軸方向の広がりに沿って、止め輪１１５とひいては接続部品１０２は、軸方向に動くことができる。その際ショルダ部１２０は、導管１０−ａから離れて半径方向外側に突出し、軸方向への止め輪１１５のためのさらなるストッパとなる。壁１１３の内側は、反対の軸方向への止め輪１１５のための軸方向ストッパである。その際壁１１３の内側は、たとえばハウジングの内室を画定してよい。たとえば、図１で分かるように、止め輪１１５のための軸方向ストッパである壁１１３の内側は、孔の半径方向外側にある。たとえば、ハウジングが閉じられた状態のとき、つまりたとえばハウジングの駆動状態において、止め輪１１５は、外部からアクセスできない。ショルダ部１２０からの力の流れと、媒体に対する密封は、それゆえ袋状部１１８を介して行われ得る。表わされていないいくつかのさらなる実施例では、止め輪は、別の形状であってもよく、ハウジングの溝に挿入されていてもよく、かつ／あるいは１つのヒール部のみで支えられてもよい。
【００３４】
図３で分かるように、袋状部１１８は周回して延伸しておらず、孔１０１あるいは接続部品１０２の周囲に部分的に延伸しているだけである。そのために袋状部１１８は、互いにほぼ平行に設けられた２つの辺部１２１、１２２を備え、当該辺部１２１、１２２は、その間に孔１０１を受容する。両辺部１２１、１２２は、袋状部１１８の補強構造１２３を介して、互いに接合されている。図２で分かるように、袋状部１１８もしくはその辺部の１つは、図２では辺部１２２が分かるが、側面図ではＣ字形をしている。その際辺部１２２の端部は、壁１１３に固定されているか、もしくは成形されている。端部の間で辺部１２２もしくは袋状部１１８は、壁１１３から離れてアーチ型になっているので、少なくとも部分的に間隙１１９ができる。間隙１１９は、少なくとも部分的に半径方向外側に開かれているので、止め輪１１５をはめ込むことができる。袋状部１１８は、半径方向に少なくとも部分的に、ハウジング１−ａ内の孔１０３よりも大きい拡張部を備える。しかも袋状部１１８は、ハウジング１−ａによって少なくとも部分的に取り囲まれている内室の中へ、軸方向に向いている。袋状部１１８の軸方向拡張部は、ハウジング１−ａの平均的な壁厚１１３よりも大きい。それゆえ袋状部１１８はハウジング１−ａ内に設けられており、内側に配置されているので、外部からは視認できない。それで、ハウジング１−ａの外側輪郭は滑らかで、突出部や凹みがなく実施され得る。
【００３５】
表わされていないいくつかのさらなる実施例では、袋状部は別の形状であってもよく、設けられていなくてもよく、あるいはハウジングの外側に設けられていてもよい。場合によっては、袋状部は、ハウジングの壁の両側に設けられていてもよい。状況によっては、ガスケットを受容するための溝が袋状部内に設けられていてもよい。状況によっては、止め輪やガスケットのようなあらゆる部材が、ハウジングに接して設けられていてもよい。いくつもの実施例では、接続部品がハウジングの孔の中に導入されさえすれば、取付けを簡易化できるであろう。
【００３６】
接続部品１０２は、材料として金属、あるいは合成樹脂とは異なる別の材料を備える。ハウジング１−ａは、合成樹脂から作られている。表わされていないいくつかのさらなる実施例では、ハウジングは接続部品よりも軟らかい材料、たとえば木材、集成材あるいは合成樹脂を備えてもよい。合成樹脂はたとえば、ポリエチレン、ポリプロピレン、ポリオキシメチレン、ポリエチレン、ポリプロピレン、ポリアミド、ポリエチレンテレフタレート、ポリブチレンテレフタレートなどの熱可塑性樹脂であってもよく、あるいは熱硬化性樹脂、ポリエステル樹脂、ポリウレタン樹脂などであってもよい。ハウジングおよび／あるいはハウジングの個々のコンポーネントは、たとえば合成樹脂射出成形部品として作られていてもよい。考えられ得るさらなる製造法として、押出成形、ブロー成形、熱成形および／あるいは発泡成形が考慮される。いくつもの実施例では、ハウジングは、合成樹脂を唯一の材料として含む。ハウジングは、たとえば金属がなく作られていてもよい。別の実施例では、ハウジングは、たとえば強化の目的で、さらなる材料を含んでもよい。状況によっては、ハウジングは、一体的な合成樹脂射出成形部品として作られていてもよい。別の実施例では、個々の部品、たとえば導管のような合成樹脂射出成形部品が、ハウジングに取り付けられてもよい。
【００３７】
媒体がガイドされる、図示されない導管と接合されるために、半径方向内側には、プラグインサートとも呼ばれ得る接続部品１０２が形成されている。配管とも呼ばれ得る導管の固定と密封は、パイプ螺合として形成されていてもよい。それは、一般的なパイプ螺合、あるいはＤＩＮ規格たとえばＤＩＮ３８６２、ＤＩＮ３８５２、ＤＩＮ  ＥＮ  ＩＳＯ８４３４などに従ったパイプ螺合である。
【００３８】
配管のための接続部は、取付けられるべき１つ以上の部品、つまり、接続部品１０２と接合できる接合ピース１２５を含む。接合ピース１２５は、直接的にあるいはさらなるコンポーネントを介して、導管あるいは供給管に接合され得る。接合ピース１２５は、少なくとも部分的に軸方向に重なって、半径方向に接続部品１０２に挿入される。接続部品１０２はそれゆえ、ハウジング１−ａと接合されるべき配管に対して固定し、力を受け、密封するための要素としても使われる接合ピース１２５を囲い込んでいる。そのために接続部品１０２は、内径が最大の領域において、半径方向内側に向いたその面に、ネジ１２４を備える。表わされていないいくつかのさらなる実施例では、ネジは別の部分に備わっていてもよい。接合ピース１２５は、半径方向外側に向いたその面に、ネジ１２４と接合されるために形成されている外ネジを備える。螺着されたプラグコネクタとも呼ばれ得る接合ピース１２５は、ほぼスリーブ状に形成されている。特に、接合ピース１２５がネジを介して、つまり回転によって接続部品１０２と接合される実施例では、保持面１０８が接続部品１０２に備わっていることが、重要であり得る。ナット留めするかあるいはユニオンナットで固定するのを可能にするために、保持面１０８は、たとえば外部からアクセス可能なレンチ面として形成されていてよい。接合ピース１２５はたとえば、接続部品１０２と同じ材料、たとえば金属から作られていているか、あるいはそれを含んでもよい。
【００３９】
図５から図８は、さらなる一実施例に従った、接合構造体１６０の異なる図の概略描写を示している。接合構造体１６０は、接合構造体１００とほぼ同じに構成されている。特徴の違いは、プラグ接合部を受容するために、接続部品１６１が形成されていることである。接続部品１６１はそれゆえ、組み込まれたプラグコネクタを備える。配管の固定と密封とは、いわゆるクイックコネクタあるいはプラグコネクタを介して行われ得る。接続部品１６１はハウジング１−ａに、図１から図４で記述されたのと同じように、設置される。クイックコネクタとして、接続部品１６１の内面に挟着するために形成されている接合ピース１６２が使われる。接合ピース１６２を接続部品１６１に対し媒体について密封するために、第１ガスケット１６３が、接合ピース１６２と接続部品１６１との間に半径方向に設けられている。第２ガスケット１６４は、接合ピース１６２の軸方向端部と接続部品１６１の軸方向ストッパとの間に設けられている。接合ピース１６２を接続部品１６１と接合するためにトルクをかける必要がないので、図８で分かるように、保持面がなくてもよい。
【００４０】
図９は、媒体ガイド管の接合法１７０の概略描写を示している。その際、プロセス１７１において、接続部品とは別の材質から成るハウジングの孔の中に、接続部品が、回転可能にしかし漏れがなく設けられる。
【００４１】
方法１７０によって、取付け時の安全性を高めることができる。接続部品１０２あるいは１６１は、取り外し可能な取付け部品として実施されており、ハウジング１−ａに挿入され、かつ止め輪１１５で軸方向に固定される。合成樹脂製のハウジングとして形成されていてよいハウジング１−ａの損傷は、接続部品１０２あるいは１６１を提供することによって、いくつもの実施例では、特に従来の接合構造体と比べて、ほとんど排除できる。たとえば接続部品１０２あるいは１６１が損傷した場合の再取付けが、可能である。
【００４２】
さらに、いくつもの実施例では、接合構造体１００、１６０を含む器具全体の設置時の安全性の向上は、たとえば顧客によって達成され得る。器具をシステムに設置する際の接点は、とりわけ配管の接続部であってよい。配管を介してもたらされるモーメント、たとえば、たとえば配管の回転あるいは装備の締着による設置時のトルクは、接合構造体１００、１６０で、状況によっては、ハウジングへの力の流れおよび／あるいはモーメントの流れを引き起こし得ない。それによって、場合によっては、運転中の安全性も向上できる。たとえば接続された機械部品が動くことによって生じかねないモーメントも、いくつもの実施例では、ハウジング１−ａへの力の流れ／モーメントの流れ、特にトルクの流れを生み出さない。接合構造体１００、１６０によって、場合によっては、頑丈で水力学的に漏れのない接合が、提供され得る。
【００４３】
ネジ接合の場合には、締付トルクの維持が重要である。締付トルクが小さすぎると、装備とハウジングとの間の接合が緩くなるか、あるいは装備が失われかねない（戻り止めネジ／予荷重）。締付トルクが大きすぎると、接合部が破壊されかねない。合成樹脂を使用している場合には（装備あるいはハウジング）、締付トルクの許容公差と許容水準は、それぞれ比較的小さく且つ低い。それにもかかわらず、接合構造体１００、１６０の部材を損傷することなく、接合構造体１００、１６０によって、充分な締付トルクをかけることができる。取付けを、容易かつ迅速かつ安全に行うことができる。そのために、ガスケット１１２、１１７を有する接続部品１０２、１６１が、ハウジング１−ａ内に形成されて沈降部とも呼ばれ得る袋状部１１８に軸方向に挿入され、止め輪１１５で半径方向に固定される。
【００４４】
従来の接合構造体では、装備とパイプ接続部は、油圧に使用する多くの場合に、ハウジングの入口および／あるいは出口と接合される（ＤＩＮ  ＥＮ  ＩＳＯ９９７４、ＤＩＮ３８５２も参照）。ネジは、実証された、容易かつ信頼性のある接合である。原則的に、材料のペア（ネジ軸／ネジ穴）は大抵、剪断と引張の負荷がかかる。ピッチ（斜面）を介して、比較的大きな押圧力が、比較的小さい締付トルクで生み出される。許容できる物質固有値からもたらされる最大許容締付トルク（トルク）を超えると、ネジ接合の持続的な破壊に至りかねず、材料の強度固有値が小さい接合相手がしばしば破壊される。油圧式装置あるいは空気圧式装備などの使用において、これは密封不足や使用不能に至りかねない。
【００４５】
誤操作による材料の過負荷は、接合構造体１００、１６０では不可能であるか、もしくは危険性が少なくとも低減されている。止め輪１１５は、市販の把持工具であるいは自動供給でも取り付けられ得る。取外しと再取付けは、いくつもの実施例では、容易なやり方で可能である。接合構造体１００、１６０では、接続部品１０２あるいは１６１の密封は、ソフトガスケット、たとえばハウジング１−ａに対して規定の予荷重をかけるＯリングによって、行われる。ソフトガスケットの予荷重は、場合によっては、孔、溝および／あるいはガスケットの幾何学形状によって決定され得る。たとえば、ガスケットとして、半径方向に密封するＯリングが使用されてもよい。接続部品１０２もしくは接続部に作用する軸方向の引張力と圧力は、止め輪１１５（たとえば半月リング）によって吸収される。止め輪１１５は、装備とも呼ばれ得る接続部品１０２の溝１１４の中に係合されている。係合は、接続部品１０２がハウジング１−ａから滑り出るのを防ぐ。ハウジング１−ａ内には、付随する袋状部１１８がある。軸方向に作用する力（引張力と圧力）は、止め輪１１５を介して溝１１４のショルダ部に、かつ袋状部１１８のショルダ部１２０を介して支えられる。袋状部１１８の内壁は、軸方向の力を受けるために、充分な寸法が採られている。トルクは、装備／ハウジングの接続部には作用しない。なぜなら、プラグインサートである接続部品１０２は回転可能であり、それでいくつもの実施例では、ハウジング１−ａへのトルク伝達が起こらないからである。
【００４６】
図１０は、一実施例に従った、接合構造体を部分的に取り付けた状態のハウジング１の斜視図の概略描写を示している。媒体を調量して分配するための装置のためのハウジング１は、合成樹脂から作られている。媒体を調量して分配するための装置は、場合によっては、媒体の第１部分量を第１の箇所で、媒体の第２部分量を第２の箇所で取り出すために形成されているいかなる装置であってもよい。
【００４７】
ハウジング１は、一体的な合成樹脂射出成形部品として作られている。別の実施例では、ハウジングは、個々の部品から構成されていてもよい。ハウジングが合成樹脂から製造可能であるのを可能にするために、ハウジングは場合によっては、ネジがなく作られていてよい。
【００４８】
ハウジング１は、ハウジングシェル４とフロントパネル５とを備えており、これについては後でさらに詳細に記述される。ハウジングシェル４は直方体形であり、フロントパネル５で閉鎖され得る開放面を備える。ハウジング１は、分配されるべき媒体がハウジング１に入るときに通る第１流入口６と第２流入口７とを備える。流入口６、７には、一実施例に従ったそれぞれ１つの接合構造体、たとえば接合構造体１００あるいは１６０が備わっていてよい。そのために、たとえば接続部品１０２あるいは１６１は、ハウジング１の表されていない孔の中に回転可能に設けられていてよい。これは、ハウジング１−ａにおける配置と同様に行われてもよい。そのためにたとえば、ハウジング１に袋状部１１８が、たとえ袋状部１１８が、ハウジング１では当該ハウジングの外側に設けられているとしても、ハウジング１−ａの袋状部と同様に形成されていてもよい。状況によっては、図１から図８で記述されたように、袋状部１１８は、ハウジング１内に設けられていてもよい。
【００４９】
メイン導管接続部とも呼ばれ得る流入口６、７は、それぞれ向かい合う側壁８、９に設けられている。メイン導管１０を介して、流入口６、７が互いに流体技術的に接合されている。メイン導管１０は、ハウジングシェル４の底部１１にほぼ平行に設けられているパイプである。メイン導管１０から、５つの分配管１２、１３、１４、１５、１６が分岐している。これらは同様に、パイプとして形成されている。分配管１２、１３、１４、１５、１６は、ハウジングシェル４の中に、側壁８、９にそれぞれ平行に設けられている。分配管１２、１３、１４、１５、１６の各々は、メイン導管１０と対向する端部で、媒体を調量して分配するそれぞれ１つの調量装置２のための受容部１７の中で終わっている。それで、流入口６、７は、メイン導管１０と分配管１２、１３、１４、１５、１６とを含む導管システムを介して、受容部１７と接合されている。
【００５０】
ハウジングシェル４において、両側壁８、９の間でハウジング１の頂側１９に平行に延伸する中間壁１８が設けられている。分配管１２、１３、１４、１５、１６はそれぞれ、中間壁１８の中で終わっている。中間壁１８は、複数のウェブ２０、２１、２２、２３を介して頂側１９と接合されており、各ウェブは常に、２つの分配管の間に設けられている。ウェブと中間壁とは、強化に使われる。場合によっては、これらの部材は、表されていないさらなる実施例では、少なくとも部分的にあるいはまったく設けられていなくてもよい。
【００５１】
ハウジングシェル４内に設けられた部材、つまりメイン導管１０と受容部１７と中間壁１８と分配管１２、１３、１４、１５、１６とウェブ２０、２１、２２、２３とは、それぞれ一体的に作られていてもよいが、個々の部品としてハウジングへと組み立てられていてもよい。表わされていないいくつかのさらなる実施例では、ハウジングは、１つあるいは多くの流入口および／あるいは１つあるいは多くの分配管を備えてもよい。状況によっては、これらは異なって設けられていてもよい。別の実施例では、ハウジングは、別の形状であってもよい。ハウジングは、一体的にあるいは複数のパーツで形成されていてもよい。多くの場合には、ハウジングは、少なくとも１つのハーフシェルを備えてもよい。ハーフシェルは状況によっては、部分的に開いたままであり、かつ／あるいはさらなる部材を介して、少なくとも部分的にあるいは完全に閉鎖されていてもよい。
【００５２】
頂側１９は複数の開口部２４を備えており、それらのうちのそれぞれ１つは、分配管１２、１３、１４、１５、１６の１つに同心状に設けられている。開口部２４と分配管１２、１３、１４、１５、１６とは、直径がそれぞれ同じである。表わされていないいくつかのさらなる実施例では、これらは直径が異なっていてもよい。円形の開口部２４に、調量装置２を受容部１７に固定する差込閉止の一部であるそれぞれ２つの凹部２５、２６が接続する。凹部２５、２６は、向かい合って設けられている。
【００５３】
調量装置２あるいはその構成部材は、記述された材料から、記述された方法で作られていてもよい。調量装置２は、構成部材として調量本体３を備える。その際調量本体３の内部容量が、状況によっては、調量装置２によって調量されるもしくは割り当てられる量を決定してもよい。調量本体３内に、表されていないピストンが入れられている。当該ピストンは、媒体を調量本体３に搬送する。調量装置２は、さらなる構成部材として、調量本体３の表されていない閉止要素も備え、当該閉止要素は、調量装置２から取り出された媒体が再び調量装置２に逆流するのを防ぐために、たとえば逆止弁として使われる。
【００５４】
場合によっては、表されていないバネあるいはバネ要素は、バネ鋼および／あるいは同様に合成樹脂から作られていてもよい。調量装置２とは、絞り弁のことである。取り出されるべきあるいは調量されるべき量を変えるために、場合によっては調量装置２を、内部容量の異なる調量装置と交換できる。
【００５５】
表わされていないいくつかのさらなる実施例では、別の機能原則に基づく調量装置も使用され得る。たとえば、搬送量あるいは割り当てられる部分量の容量は、調量装置の閉鎖および／あるいは開放で決定され得る。
【００５６】
ハウジング１のように、調量装置２もネジがなく形成されている。ハウジング１の受容部１７と調量装置２との接合は、後でさらに詳しく記述されるように、ネジのない固定手段を介して行われる。表わされていないいくつかのさらなる実施例では、調量装置２はたとえば、媒体が調量されていく導管との接合のために、ネジを備えてもよい。
【００５７】
調量本体３は、分配管１２−１６の１つよりも直径が小さい部分を備える。この部分は、少なくとも部分的に、分配管１２−１６の１つに設けられてもよい。さらに調量装置２は、当該調量装置２で差込閉止の一部を形成する突起部２８、２９を備える。突起部は同様に、対向して設けられている。調量装置２は、外側面に周回溝３０を備え、調量装置２がはめ込まれている分配管に対して当該調量装置２を密封するために、当該周回溝３０にガスケットが設けられてもよい。媒体の流れ方向において突起部２８、２９と同じ高さに、調量装置２は凹部３１を備えるが、その機能は後でさらに詳しく記述される。凹部３１は、長方形の形状である。その際凹部３１は、調量本体３の壁を完全に貫通するわけではない。
【００５８】
媒体が調量されて中に取り入れられる導管との接合のために、調量装置２は、クリップ接合部として形成されている導管接続部３２を備える。そのために導管接続部３２は、図５で分かるように、Ｃ字形をしている。２つの辺部３３、３４は、湾曲部３５を介して接合されている。湾曲部に対してほぼ同心状に、導管、たとえば潤滑剤管が設けられてもよい。両辺部３３、３４は、ネジ接合部３６を介して互いに挟着され得る。いくつもの実施例で潤滑剤管接続部とも呼ばれ得る導管接続部３２は、調量本体３と一体的に作られている。代替的に導管接続部３２は、媒体が調量されていく表されていない導管と、調量本体３で、たとえば締付部材のように挟着され得る。導管接続部３２を、媒体の流れ方向にかつ当然ながら別の方向に固定するために、止め輪と対応する溝とが備わっていてよい。その際溝は、調量本体および／あるいは導管接続部３２の中に備わっていてもよい。表わされていないいくつかのさらなる実施例では、調量装置も、導管接続部の代わりに一実施例に従った接合構造体を備えてもよい。
【００５９】
調量装置２を受容部１７と接合するために、突起部２８、２９が溝２５、２６に対して一直線になるように、調量装置２は開口部２４の上に配置される。それから、突起部２８、２９が媒体の流れ方向で、中間壁１８と頂側１９との間にくるまで、調量装置２は、受容部１７の中に沈められる。それから調量装置２は、媒体の流れ方向に平行に設けられている軸の周りを、受容部１７に対して回転される。突起部２８、２９は、溝２５、２６に対してもはや一直線に設けられてはおらず、それによって調量装置２は、媒体の流れ方向に固定される。突起部２８、２９と溝２５、２６とは、それぞれ長方形の形状をしている。いくつかのさらなる実施例では、突起部および／あるいは溝は、差込閉止のための構造もしくはカウンタ構造として使われ得る、別の形状であってもよい。たとえば、突起部の代わりに、対応するカウンタ構造を貫通してガイドされ得る複数のピンなどが備わっていてもよい。
【００６０】
フロントパネル５は、ほぼハウジングシェル４の一側面の大きさであるプレートとして形成されている。フロントパネル５を介して、ハウジングシェル４は閉鎖され得る。そのために、係止部とも呼ばれ得る係止接合部が備わっていてもよい。取付けられた状態で調量装置２に対向する内側３７に、フロントパネル５は、ハウジングシェルの対応する係止開口部４５−４８に噛み合う複数の係止突出部３８−４４を備える。表わされていないいくつかのさらなる実施例では、係止突出部は、少なくとも一部あるいはすべてが、ハウジングシェルに備わっていてもよい。場合によっては、フロントパネルとハウジングシェルとは、蝶番を介して接合されていてもよい。
【００６１】
合成樹脂製ハウジングであるハウジング１は構造上適して、材料集積部がなく、つまり壁厚が均等に実施される。この前提で、装置の幾何学形状は、状況によっては、比較的刻み目があってもよい。蓋としての機能におけるフロントパネル５は、いくつもの実施例では、滑らかで洗浄しやすい外輪郭（いわゆるクリーンデザイン）になっており、場合によっては、製品群あるいは製品シリーズを再認識させるためのデザイン技術上の特徴を表わす可能性を有する。
【００６２】
表わされていないいくつかのさらなる実施例では、ハウジングの複数の側を閉鎖するために、フロントパネルが形成されていてもよく、そのためにたとえばフロントパネルが角を成す形状であってもよい。表わされていないいくつかのさらなる実施例では、フロントパネルはハウジングを、側面でも、背面でも、上からもおよび／あるいは下からも閉鎖してもよい。
【００６３】
さらにフロントパネル５はその内側３７に、各調量装置２のために、複数の差し錠４９−５３を備え、当該差し錠４９−５３の各々は、取付けられた状態で、閉止開口部とも呼ばれ得る、調量装置２の凹部３１に噛み合うために形成されている。ラッチボルトとも呼ばれ得る差し錠４９−５３は、回転しないよう調量装置２を形状接続的に固定する。差し錠４９−５３の各々は、扉錠と同様に、潤滑剤管接合部とも呼ばれ得る調量装置２の凹部３１に突き出ている。それによって、調量装置２が回転して、突起部２８、２９が溝２５、２６に重なり、調量装置２が受容部１７から滑り出かねないことを防ぐ。それゆえフロントパネル５は、機械的な止め機能を担う。調量装置２が回転して滑り出ることが防止される。合成樹脂の特性に特に注目すれば、ハウジング１に、ネジの構成要素は使用されておらず、合成樹脂にふさわしい構成が実現されている。調量装置２は、差込錠止でハウジング１に係合されており、いくつもの実施例で、表されていないバネ要素と緊締ランプとに従って、回転とひいては離脱に対する比較的些細な自動ロックを有する。しかしながら、トルクが、接続された表わされていない導管、たとえば潤滑剤管を介して、配管の悪さあるいは潤滑箇所の移動の結果、調量装置２に作用しかねない。
【００６４】
フロントパネル５をハウジングシェル４と接合するために、係止のほかに、フロントパネル５には、取付け開口部５５、５６とも呼ばれ得る固定穴が備わっている。そのためにハウジングシェル４は、対応する取付け開口部５７、５８を備える。取付け開口部５５、５６、５７、５８は、それぞれ１つの楕円形の断面を備える。
【００６５】
表わされていないいくつかのさらなる実施例では、取付け開口部は別の形状、たとえば円形あるいは長方形であってもよい。加えてあるいは代替的に、違う数の取付け開口部が備わっていてもよい。その際取付け開口部５７は、最外側の分配管１２と隣の分配管１３とメイン導管１０との間に設けられている。取付け開口部５８は同様に、最外側の分配管１６と隣の分配管１５とメイン導管１０との間に設けられている。取付け開口部５７、５８は、貫通開口部として形成されているので、取付けられたハウジング１は、当該取付け開口部を介して、保持具にも固定され得る。そのために、表されていない固定手段が、取付け開口部５５−５８を通って通され得る。固定要素とは、たとえばボルト接合装置、ボルト、釘、ピンおよび／あるいはそのようなものであってもよい。その際保持具は、たとえば、装置あるいはハウジングが運転のために固定される部材、たとえば台座、機械および／あるいは車両のハウジングあるいはハウジングのために特別に備わっている保持具あるいは吊り具であってもよい。
【００６６】
さらに、いくつもの実施例では絞り弁ハウジングとも呼ばれ得るハウジング１に、取付け不備が認識できてハウジング１の取付け不備を阻止する手段が備わっている。そのためにハウジングシェル４は、取付け開口部５７、５８の領域に、取付け不備表示手段としてそれぞれ１つの突起部５９、６０を備える。突起部５９、６０はそれぞれ、周辺の面よりも出っ張っている。対応して、フロントパネル５は、取付け開口部５５、５６の領域に、突起部用凹部６１、６２を備える。これらは、取付け不備表示手段の受容部として使われ得、取り付けられた状態で突起部５９、６０が当該取付け不備表示手段の受容部に係合もしくは入り込む。それによってフロントパネル５は、正しくハウジングシェル４に当接できる。突起部５９、６０は、ハウジング１が、フロントパネル５がなく取り付けられるという危険性を、たとえば防止あるいは少なくとも軽減できる。ハウジングシェル４が、フロントパネル５がなく取り付けられれば、ボルトあるいはボルトヘッドは、平坦な当接面を得られない。ボルトは、孔に対して斜めに取り付けられる。それによって、取付け不備が明らかになる。
【００６７】
表わされていないいくつかのさらなる実施例では、ハウジングの取付け開口部の近傍に、取付け開口部に同心状に固定要素を取付けることを防止するために形成されている別の取付け不備表示手段が備わっていてもよい。表わされていないいくつかのさらなる実施例では、取付け不備表示手段は、別の形状、たとえば、フロントパネルにおける対応する斜めのカウンタ構造と留め継ぎの形状で組み立てられ得る斜め平面であってもよい。取付け不備表示手段と取付け不備表示手段の受容部とは、取付けられた状態において、たとえば円筒状の固定スリーブに補い合ってもよい。
【００６８】
つまりいくつもの実施例は、（誤用に対して）安全かつ簡単な使用および合成樹脂の材質の特性（引張耐性、剪断力）と形体（幾何学形状、公差）とを特に考慮した上での、合成樹脂コンポーネント、たとえばハウジングにおけるパイプ接合もしくはパイプ接続のための取付け可能な接続部品に関する。それによって、場合によっては、チューブ管を、たとえばポンプ、加熱要素、フィルタあるいはディストリビュータのハウジングと、たった１つの取付け可能かつ取外し可能な部材（プラグインサート）、つまり接続部品で、簡単で迅速で液漏れなく圧力に強くかつモーメントなく接合するのを可能にできる。接続部品は、合成樹脂コンポーネント、たとえばハウジングに挿入する場合、「誤用に対して」安全に取り付けられ得る。なぜならば、挿入時にも使用時にも、螺合時のように、ハウジングにモーメントをもたらさないからである。さらに、接続部品は取付け部品として実施され得るので、熱的方法のような合成樹脂に挿入するための特別な方法はなくてよい。同時に、従来のプラグコネクタと同類の、接続されるべきパイプのための接続部品が、油圧装置で利用され得る。
【００６９】
前述の記述と以下の請求項と添付の図とにおいて開示された実施例、およびそれらの個々の特徴は、個別にも任意の組み合わせにおいても、様々な形態における実施例の実現のために重要であり得、かつ実行され得る。
【符号の説明】
【００７０】
１  ハウジング
２  調量装置
３  調量本体
４  ハウジングシェル
５  フロントパネル
６  流入口
７  流入口
８  側壁
９  側壁
１０  メイン導管
１１  底部
１２  分配管
１３  分配管
１４  分配管
１５  分配管
１６  分配管
１７  受容部
１８  中間壁
１９  頂側
２０  ウェブ
２１  ウェブ
２２  ウェブ
２３  ウェブ
２４  開口部
２５  凹部
２６  凹部
２８  突起部
２９  突起部
３０  溝
３１  凹部
３２  導管接続部
３３  辺部
３４  辺部
３５  湾曲部
３６  固定手段
３７  内側
３８  係止突出部
３９  係止突出部
４０  係止突出部
４１  係止突出部
４２  係止突出部
４３  係止突出部
４４  係止突出部
４５  係止開口部
４６  係止開口部
４７  係止開口部
４８  係止開口部
４９  差し錠
５０  差し錠
５１  差し錠
５２  差し錠
５３  差し錠
５５  取付け開口部
５６  取付け開口部
５７  取付け開口部
５８  取付け開口部
５９  突起部
６０  突起部
６１  突起部受容部
６２  突起部受容部
１００  接合構造体
１０１  孔
１０２  接続部品
１０３  貫通孔
１０４  スリーブ状部分
１０５  第１部分
１０６  第２部分
１０７  側面
１０８  保持面
１０９  端面
１１０  ヒール部
１１１  溝
１１２  パッキン
１１３  壁
１１４  止め輪溝
１１５  止め輪
１１６  ガスケット受容溝
１１７  ガスケット
１１８  袋状部
１１９  間隙
１２０  ショルダ部
１２１  辺部
１２２  辺部
１２３  補強構造
１２４  ネジ
１２５  接合ピース
１６０  接合構造体
１６１  接続部品
１６２  接合ピース
１６３  ガスケット
１６４  ガスケット
Ｍ  回転軸
【図１】
2016048115.tif 000003
【図２】
2016048115.tif 000004
【図３】
2016048115.tif 000005
【図４】
2016048115.tif 000006
【図５】
2016048115.tif 000007
【図６】
2016048115.tif 000008
【図７】
2016048115.tif 000009
【図８】
2016048115.tif 000010
【図９】
2016048115.tif 000011
【図１０】
2016048115.tif 000012